(57)【要約】【課題】使用者が転写操作をおこなう際に、被転写面の目的の箇所に良好に塗膜を転写でき、転写ヘッドから転写テープが外れて斜行したり、転写テープが折れたり、転写テープもしくは基材が切断したりするのを防ぐことができる塗膜転写具を提供する。【解決手段】外枠を構成する外ケースに基材テープに塗膜を備えた転写テープを繰り出す繰出しリールと、前記塗膜を被転写面に押圧して転写する転写ヘッドと、転写後の前記基材テープを巻き取る巻取りリールを有し、前記転写ヘッドの先端部が前記外ケースより突設しており、前記転写テープは前記繰出しリールから前記転写ヘッドを介して前記巻取りリールに接続されるよう配設された自動巻取式の塗膜転写具において、前記外ケースに被転写面に当接する接地部を有し、かつ前記外ケースに弾性部を配設していることを特徴とする。【選択図】図３
2010036550.tif 000002
【特許請求の範囲】
【請求項１】
外枠を構成する外ケースに基材テープに塗膜を備えた転写テープを繰り出す繰出しリールと、前記塗膜を被転写面に押圧して転写する転写ヘッドと、転写後の前記基材テープを巻き取る巻取りリールを有し、前記転写ヘッドの先端部が前記外ケースより突設しており、前記転写テープは前記繰出しリールから前記転写ヘッドを介して前記巻取りリールに接続されるよう配設された自動巻取式の塗膜転写具において、前記外ケースに被転写面に当接する接地部を有し、かつ前記外ケースに弾性部を配設していることを特徴とする塗膜転写具。
【請求項２】
前記弾性部に、被転写面に当接する保護部材が配設されていることを特徴とする請求項１に記載の塗膜転写具。
【請求項３】
下壁を備えたキャップが、前記外ケースと被転写面の間にあって前記弾性部と当接して保護部材となる位置と、前記転写ヘッドの下部に介在する未使用の塗膜面を保護する位置とで、回動可能となるよう配設されていることを特徴とする請求項１または請求項２に記載の塗膜転写具。
【発明の詳細な説明】
【技術分野】
【０００１】
本発明は、基材テープに塗膜を備えた転写テープを押圧して転写するために用いる塗膜転写具に関するものである。
【背景技術】
【０００２】
従来、外枠を構成する外ケースに基材テープに塗膜を備えた転写テープを繰り出す繰出しリールと、前記塗膜を被転写面に押圧して転写する転写ヘッドと、転写後の前記基材テープを巻き取る巻取りリールを有し、前記繰出しリールと前記巻取りリールが連動機構を備えている自動巻取式の塗膜転写具が知られている。
【０００３】
このような転写具においては、プラスチックからなる転写ヘッドの弾性を利用して、被転写面に転写する際に、被転写面に対して傾いていてもプラスチックの弾性によってそれに追従して沿うように塗膜を所定の箇所に転写するものが提案されている（特許文献１参照）。
【０００４】
特許文献１に記載の塗膜転写具においては、転写ヘッドの撓みはプラスチックによって形成されている転写ヘッド自体のもつ弾性によるものであり、その撓み量には限界がある。そのため、目的の箇所への転写操作を終える場合、塗膜を切断するために転写ヘッドの先端を目的の箇所で一旦止めてから転写ヘッドを被転写面から離す必要がある。転写ヘッドの先端を一旦止めず不用意に転写ヘッドを被転写面から離してしまうと塗膜が切断されず、余分な部分に塗膜を転写してしまうことや転写ヘッドから余分な塗膜が飛び出してしまうことがある。
【０００５】
転写ヘッドがケースに弾性体を介挿して傾動可能に取り付けられ、あらゆる斜め方向から被転写面に接近させても転写ヘッドがケースに対して傾斜せず、被転写面に塗膜を転写することができるように配設された塗膜転写具が提案されている（特許文献２参照）。
【０００６】
特許文献２に記載の塗膜転写具においては、使用前において転写テープは繰出しリールから転写ヘッドを介して巻取りリールまで一定のテンションで配設されている。しかし転写操作時において転写ヘッドを被転写面に押圧させた際には、外ケースから先端部が突設して配設されている転写ヘッドが塗膜転写具内に配設された弾性体の作用によって塗膜転写具内に入り込み、それによって繰出しリールから転写ヘッドを介して巻取りリールまでの転写テープの走行経路は、使用前のものと比べて短くなってしまう。その結果、使用前に転写テープにかかっていたテンションが下がり使用する際に転写テープが弛んでしまい被転写面に塗膜を転写させる位置が目標とずれてしまうことや、転写ヘッドから外れて斜行してしまうという問題が存在する。
【０００７】
転写ヘッド以外に被転写面と接触する設置部をホルダに２箇所設けた塗膜転写具で、被転写面との接触部位を全て含む面で支持させた状態で使用することにより、ホルダに加えた力も転写ヘッドに偏ることなく各接地部にも分散させることができる塗膜転写具も提案されている。これにより、塗膜転写具を被転写面に対してスライド移動させる転写作業時には、そのスライド進行方向とそれに直交する方向への両方の力のバランスを取ることができ、使用者が力を微妙に調整することなく使用できることを可能にした塗膜転写具が提案されている（特許文献３参照）。
【０００８】
特許文献３に記載の塗膜転写具においては、転写操作時にケースの天面から力を加えるような持ち方をする場合、接触部位を含む面が一面できるので転写ヘッドに偏ることなく力が分散して被転写面に対して塗膜の転写がうまくできる。しかしケースの面積が大きな面を指で挟むような持ち方、つまりは鉛筆や箸を持つような持ち方で塗膜転写具を使用する場合、被転写面と接触する設置部で加わる力のバランスがかたより、いわゆる片輪走行のごとくスライドしていく場合がある。このような状態では転写ヘッドに加わる力は転写ヘッドの左右で偏ることとなり、転写テープが蛇行したり、転写ヘッドから外れて斜行したり、転写テープが折れたり、転写テープまたは基材が切断したりして使用不可能となる場合がある。このように被転写面と接触する部位を２箇所以上配設したものでも持ち方によっては塗膜の転写に不具合が生じる問題が存在する。
【０００９】
転写操作時の転写操作を軽くし、転写ヘッドの動きを安定させ、さらに転写後の転写テープの片浮きを防止するために、前端に転写ヘッド部を設けたヘッド部材をケース本体に横軸回りに回動可能に取り付けて、ヘッド部材を被転写面に向けて上方から押圧してケース本体の底面を被転写面に当接させて使用する塗膜転写具が提案されている（特許文献４参照）。
【００１０】
特許文献４に記載の塗膜転写具においては、ケース本体の底面を被転写面に当接させてケース本体の摺動とともに転写操作をおこなうが、被転写面にケース本体の底面が当接しており、使用者が塗膜を転写させる場所が見えなくなっている。そのため、転写操作では転写箇所が分かりづらくなり目的の場所以上のところに転写してしまう場合があり、不必要の箇所にまで塗膜を転写することがある。また、一度転写操作をしたところやその近辺に再度転写操作をおこなう場合、ケース本体の底面を被転写面に当接させて使用するため、被転写面に凹凸が生じるのでケース本体の摺動で引っかかりが発生してスムーズな転写操作が不可能となる場合がある。
【特許文献１】特開平０８−１７５０９５号公報
【特許文献２】特開平１１−１７０７７０号公報
【特許文献３】特開２００５−０６７１５３号公報
【特許文献４】特開２００８−０９３９５１号公報
【発明の開示】
【発明が解決しようとする課題】
【００１１】
本発明は上記のような問題に鑑みて、使用者が転写操作をおこなう際に、被転写面の目的の箇所に良好に塗膜を転写でき、転写ヘッドから転写テープが外れて斜行したり、転写テープが折れたり、転写テープもしくは基材が切断したりするのを防ぐことができる塗膜転写具を提供することを目的としている。
【課題を解決するための手段】
【００１２】
本発明の塗膜転写具によると、上記課題は次のようにして解決される。
（１）外枠を構成する外ケースに基材テープに塗膜を備えた転写テープを繰り出す繰出しリールと、前記塗膜を被転写面に押圧して転写する転写ヘッドと、転写後の前記基材テープを巻き取る巻取りリールを有し、前記転写ヘッドの先端部が前記外ケースより突設しており、前記転写テープは前記繰出しリールから前記転写ヘッドを介して前記巻取りリールに接続されるよう配設された自動巻取式の塗膜転写具において、前記外ケースに被転写面に当接する接地部を有し、かつ前記外ケースに弾性部を配設している。
【００１３】
（２）上記（１）項において、前記弾性部に、被転写面に当接する保護部材が配設されている。
【００１４】
（３）上記（２）項において、下壁を備えたキャップが、前記外ケースと被転写面の間にあって前記弾性部と当接して保護部材となる位置と、前記転写ヘッドの下部に介在する未使用の塗膜面を保護する位置とで、回動可能となるよう配設されている。
【発明の効果】
【００１５】
本発明により、転写ヘッドの下側に空間が存在して、転写操作の際に始まり位置と終わり位置が認識しやすくなり、転写操作時には使用者によって外ケースから被転写面の方向に力が加えられるが、外ケースの外部に配設した弾性部からの抗力で上方向に力が働いているので、転写操作時は塗膜転写具の傾きがなく安定するようになり、転写ヘッドに圧力を均一にかけることが可能となるので、塗膜を被転写面に対して均一に転写することができるようになった。また、目的の箇所への転写操作が終わって転写ヘッドの先端を一旦止めた時に、弾性部の抗力によって塗膜が所定箇所で切断されて、余分な箇所に不必要な転写が行われることがなくなった。さらに、回動可能に配設されたキャップが、転写操作時には保護部材となり、かつ転写操作をおこなっていないときには転写塗膜面を保護することができる。
【００１６】
これらにより、被転写面の目的の箇所に良好に塗膜を転写でき、転写ヘッドから転写テープが外れて斜行したり、転写テープが折れたり、転写テープもしくは基材が切断したりするのを防ぐことができる塗膜転写具を提供することができるようになった。
【発明を実施するための最良の形態】
【００１７】
本発明にかかる塗膜転写具の実施例を、図面を参照して以下に説明する。実施例１では請求項１の塗膜転写具として図１〜図４を、実施例２では請求項２の塗膜転写具として図５を、実施例３では請求項３の塗膜転写具として図６と図７を、各々示す。なお、これら実施例の形状だけに本発明が限定されるものではない。
【実施例１】
【００１８】
図１は請求項１の塗膜転写具２０の正面図を示す。外ケース１には転写ヘッド４が前記外ケース１から突設するよう配設されており、基材テープ５に塗膜を備えた転写テープ６は繰出しリール９から前記転写ヘッド４を介して塗膜転写後は前記基材テープ５のみが巻き取られるよう配設されている。また、前記外ケース１の後方（図面右側）には被転写面３０に当接する接地部７を有し、かつ前記外ケース１の外部となる底面には弾性部８を配設している。これら接地部７と弾性部８が被転写面３０に当接することによって、塗膜転写具２０は、被転写面３０に転写ヘッド４を当接させることなく、図１のように立つことができる。なお、図１中に示すＡ方向からみた面を底面としている。また、以下の図中で前記接地部７に当接する直線を被転写面３０としている。
【００１９】
図２は請求項１の塗膜転写具２０の右側面図を示す。図２に示すとおり、塗膜転写具２０の前記外ケース１はケース本体２とケースフタ３により構成されている。
【００２０】
図３は請求項１の塗膜転写具２０の使用状態での正面図を示す。転写操作時に使用者によって外ケース１から被転写面３０の方向に力が加えられ、外ケース１の外部に配設した弾性部８からの上方向に働く抗力に逆らって、転写ヘッド４の先端部を被転写面３０に接触させる。転写ヘッド４の先端部を被転写面３０に接触させながら後方（図面右側）へと塗膜転写具２０を押圧してひくことによって塗膜の転写操作をおこなう。
【００２１】
この時、転写ヘッド４と弾性部８と接地部７が被転写面３０に接触して、転写操作時に塗膜転写具２０の傾きがなく安定するようになり、転写ヘッド４に圧力を均一にかけることが可能となるので、塗膜を被転写面３０に対して均一に転写することができる。また、目的の箇所への転写操作が終わって転写ヘッド４の先端を一旦止めた時に、弾性部８の抗力によって塗膜が所定箇所で切断されて、余分な箇所に不必要な転写が行われることがなくなる。
【００２２】
図４は図３に示した請求項１の塗膜転写具２０のケースフタ３をはずした正面図を示す。図４に示すとおり、塗膜転写具２０は、外ケース１を構成するケース本体２の内部に繰出しリール９と巻取りリール１０を有している。また、ケース本体２は転写ヘッド保持部１１を有しており、その転写ヘッド保持部１１に転写ヘッド４が保持されて、前記転写ヘッド４の先端部が前記外ケース１より突設している。この保持構造については、係止、嵌合、螺合、接着等の一般的な保持構造でよく、転写ヘッド保持部１１は、ケース本体２だけでなく、ケースフタ３に有していても、ケース本体２とケースフタ３の両方からなるものでもよい。
【００２３】
前記繰出しリール９から繰り出された転写テープ６は、前記転写ヘッド４により前記転写テープ６の背面から押圧されて塗膜が被転写面３０に転写され、塗膜転写後の基材のみとなった基材テープ５は前記繰出しリール９の最外周部に沿うように搬送経路をとって前記巻取りリール１０に巻き取られるよう配設されている。各リールが備えている連動機構として、噛合させたギアやＯリング等を用いたプーリーなどが用いられるが、本発明ではどのような連動機構を用いてもよい。本発明の塗膜転写具２０はこのような連動機構を備えた自動巻取式の塗膜転写具となっている。図では、連動機構や各リールの支軸については、本発明の特徴ではないので、省略している。なお、基材テープ５が前記繰出しリール９の最外周部に沿うように搬送経路をとることによって、連動機構の動きを補助している。
【００２４】
前記外ケース１の外部となる底面には弾性部８が配設されている。図４に示したとおり、前記弾性部８は一例として、ケース本体２の外部に設けられた弾性体保持部１３に弾性体１２が保持されている構成となっている。この保持構造については、係止、嵌合、螺合、接着等の一般的な保持構造でよく、弾性体保持部１３は、ケース本体２だけでなく、ケースフタ３に有していても、ケース本体２とケースフタ３の両方からなるものでもよい。前記弾性体１２は、例えば板バネやコイルバネのような一般的なバネや、エラストマーやゴムのような樹脂など弾性を有するものであればよい。
【実施例２】
【００２５】
図５は請求項２の塗膜転写具２０の使用状態でのケースフタ３をはずした正面図を示す。図５に示したとおり、繰出しリール９と巻取りリール１０と転写ヘッド４および弾性部８の弾性体１２の構成は、実施例１の図４と同じである。ここでは前記弾性部８の弾性体１２に、被転写面３０に当接する保護部材１４が配設されていることを特徴とする。前記保護部材１４は、塗膜転写具１０が被転写面３０上を押圧して転写する際に弾性体１２で被転写面３０を傷つけることを防ぐためのものである。前記保護部材１４は、樹脂で形成されているが、材質、形状等がこれに限定されるものではない。
【００２６】
前記保護部材１４は被転写面３０と当接しており、接地部７も被転写面３０と当接している。前記保護部材１４が被転写面３０と当接するときは、図４の実施例１のような弾性体１２が被転写面３０と当接する場合よりも被転写面３０との接触面積が大きくなり、転写操作時に塗膜転写具２０の傾きがなくなりさらに安定して転写操作をすることができるようになる。また、保護部材１４と被転写面３０の接触面積が大きいと、弾性部８の弾性体１２の力を被転写面３０に分散させることができ、被転写面３０を弾性体１２の力で傷つけることを防いでいる。
【実施例３】
【００２７】
図６は請求項３の塗膜転写具２０の使用状態でのケースフタ３をはずした正面図を示す。図６に示したとおり、繰出しリール９と巻取りリール１０と転写ヘッド４の構成は、実施例１の図４と同じである。外ケース１の外部となる底面に弾性部８とキャップ１６が配設されている。
【００２８】
前記弾性部８は一例として、ケース本体２の外部に設けられた弾性体保持部１３に弾性体１２が保持されている構成となっている。また、図面右側の弾性体保持部１３は接地部７と兼用されている。この保持構造については、係止、嵌合、螺合、接着等の一般的な保持構造でよく、弾性体保持部１３は、ケース本体２だけでなく、ケースフタ３に有していても、ケース本体２とケースフタ３の両方からなるものでもよい。前記弾性体１２は、例えば板バネやコイルバネのような一般的なバネや、エラストマーやゴムのような樹脂など弾性を有するものであればよい。
【００２９】
キャップ１６は一例として、転写ヘッド４と弾性部８の中間で、ケース本体２の外部に設けられたキャップ保持部１５にキャップ１６が回動可能となるよう配設されている構成となっている。また、前記キャップ１６は接地部７と接しないよう配設されている。前記キャップ１６は下壁１７、前壁１８、側面壁を備えている。図では側面壁しか見えていないが、下壁１７と側面壁の境界部分を破線で示し、下壁１７の方には引出線と番号を書いている。前記キャップ１６の一端が前記前壁１８であり、逆側の一端がキャップ保持部１５である。
【００３０】
下壁１７を備えたキャップ１６が、前記外ケース１と被転写面３０の間にあって前記弾性部８と当接して保護部材１４となる位置と、転写ヘッド４の下部に介在する未使用の塗膜面を保護する位置とで、回動可能となるよう配設されている。図６は、キャップ１６が前記外ケース１と被転写面３０の間にあって前記弾性部８と当接して保護部材１４となる位置である場合を示している。この位置において、塗膜転写具２０を使用することができる。
【００３１】
転写操作時に使用者によって外ケース１から被転写面３０の方向に力が加えられ、外ケース１の外部に配設した弾性部８からの上方向に働く抗力に逆らって、転写ヘッド４の先端部を被転写面３０に接触させる。被転写面３０に当接しているキャップ１６の前壁１８を通じて下壁１７に当接している弾性体１２の抗力が働いている。これにより、キャップ１６が前記外ケース１と被転写面３０の間にあって前記弾性部８と当接して保護部材１４となっている。転写ヘッド４の先端部を被転写面３０に接触させながら後方（図面右側）へと塗膜転写具２０を押圧してひくことによって塗膜の転写操作をおこなう。
【００３２】
この時、転写ヘッド４とキャップ１６の前壁１８と接地部７が被転写面３０に接触して、転写操作時に塗膜転写具２０の傾きがなく安定するようになり、転写ヘッド４に圧力を均一にかけることが可能となるので、塗膜を被転写面３０に対して均一に転写することができる。また、目的の箇所への転写操作が終わって転写ヘッドの先端を一旦止めた時に、キャップ１６を通じて弾性部８の抗力によって塗膜が所定箇所で切断されて、余分な箇所に不必要な転写が行われることがなくなる。
【００３３】
図７は請求項３の塗膜転写具２０において、キャップ１６が未使用の塗膜面を保護する位置でケースフタ３をはずした正面図を示す。図６の前記外ケース１と被転写面３０の間にあって前記弾性部８と当接して保護部材１４となる位置から、キャップ１６がキャップ保持部１５を中心に回動して、前記転写ヘッド４の下部に介在する未使用の塗膜面を保護する位置にある場合を図７は示している。キャップ１６の下壁１７が、図面に見えている転写ヘッド４の側壁と接している（図では破線で表示している）ので、キャップ１６の下壁１７は直接転写テープ６と接していない。このとき前記キャップ１６が備えている下壁１７によって前記転写ヘッド４の下部に介在する転写テープ６の未使用の塗膜面が保護されて、塗膜面が傷ついたり、塗膜面にゴミや埃等が付着したりするのを防いで、転写不良が起こらないようにしている。このような回動可能なキャップ１６が、転写操作時には保護部材１４となり、転写操作をおこなわない時には転写塗膜面を保護するものとなる。
【図面の簡単な説明】
【００３４】
【図１】請求項１の塗膜転写具の正面図。
【図２】図１の右側面図。
【図３】請求項１の塗膜転写具の使用状態での正面図。
【図４】図３のケースフタをはずした正面図。
【図５】請求項２の塗膜転写具の使用状態でのケースフタをはずした正面図。
【図６】請求項３の塗膜転写具の使用状態でのケースフタをはずした正面図。
【図７】キャップが未使用の塗膜面を保護する位置でケースフタをはずした正面図。
【符号の説明】
【００３５】
１．外ケース
２．ケース本体
３．ケースフタ
４．転写ヘッド
５．基材テープ
６．転写テープ
７．接地部
８．弾性部
９．繰出しリール
１０．巻取りリール
１１．転写ヘッド保持部
１２．弾性体
１３．弾性体保持部
１４．保護部材
１５．キャップ保持部
１６．キャップ
１７．下壁
１８．前壁
２０．塗膜転写具
３０．被転写面
Ａ．底面
【図１】
2010036550.tif 000003
【図２】
2010036550.tif 000004
【図３】
2010036550.tif 000005
【図４】
2010036550.tif 000006
【図５】
2010036550.tif 000007
【図６】
2010036550.tif 000008
【図７】
2010036550.tif 000009